(57)【要約】【課題】製品区別ができる色相を表示する。【解決手段】本発明は、識別手段を具備した化粧品容器に関し、容器本体の上部に製品を区別することができる識別手段を具備することにより、ユーザーが識別手段を介して直観的に製品区別ができるので、化粧品を保管する時に、製品別に分類して保管が容易になるだけでなく、使用上の利便性を提供することができる。【選択図】図７
2020147374.tif 000002
【特許請求の範囲】
【請求項１】
容器本体と、
前記容器本体の内側に結合し、内容物を貯蔵する内容器と、
前記内容器の上端開口部を開閉するオーバーキャップと、
を含む化粧品容器において、
前記容器本体の内側には、床面から上方向に突出し形成され、前記内容器を固定させる固定部を具備し、
前記内容器の下部には、前記容器本体の固定部にネジ結合する結合部を具備し、
前記内容器の上部には、外周面を取り囲んで延長し形成されて、前記容器本体の上端に停止した状態で、前記容器本体の上端開口部を介して外部に露出し、製品区別ができる色相を表示する識別部を具備すること、
を特徴とする識別手段を具備した化粧品容器。
【発明の詳細な説明】
【技術分野】
【０００１】
本発明は、識別手段を具備した化粧品容器に関し、より詳細には、容器本体の上端に製品を区別することができる識別手段を具備することにより、ユーザーが識別手段を介して、直観的に製品区別ができるので、化粧品を保管する時に、製品別に分類して保管が容易になるだけでなく、使用上の利便性を提供することができる識別手段を具備した化粧品容器に関する。
【背景技術】
【０００２】
一般的に化粧品容器には、各種内容物（スキン、ローション、アイクリーム）を収容しており、ユーザーがこれを使用するときには、容器本体からオーバーキャップを開栓して容器本体に貯蔵した内容物を手で取って塗る、または、ポンピング手段を介したポンピング作用を介して、内容物を吐出させて使用する。
【０００３】
このような化粧品は、通常のスキン／ローションのような基礎化粧品と、エッセンスのような機能性化粧品及びファウンデーションなどの色調化粧品に区別され、ユーザーが化粧品を使用する時には、容器本体に書かれている文字を介して基礎化粧品なのか、機能性化粧品なのか、色調化粧品なのかを確認しなければならないので、ユーザーに煩わしさをもたらす問題があった。
【０００４】
一方、最近になって、化粧品の製品群が多様化され、男性製品群、新環境製品群など、多様なライン別製品が発売開始されている中に、ユーザーが直観的な製品区別を容易にできる手段が要求されている。
【発明の概要】
【発明が解決しようとする課題】
【０００５】
本発明は、上述した問題点を解決するために考案されたものであり、本発明の目的は、容器本体の上部に製品を区別することができる識別手段を具備することにより、ユーザーが識別手段を介して直観的に製品区別ができるので、化粧品を保管する時に、製品別に分類して保管が容易になるだけでなく、使用上の利便性を提供することができる識別手段を具備した化粧品容器を提供することである。
【課題を解決するための手段】
【０００６】
前記のような問題点を解決するために、本発明の第１実施例に係る識別手段を具備した化粧品容器は、内容物を貯蔵する容器本体と、前記容器本体の上部に結合する結合部を具備する支持体と、前記支持体に結合し、ポンピング作用によって内容物を排出し、前記支持体の中央部で前記支持体が具備するシリンダーによって支持されるポンピング部材と、前記ポンピング部材の上部に位置して、前記ポンピング部材を加圧すると前記容器本体に貯蔵された内容物が吐出されるように内容物吐出ホールを形成するボタン部材と、を含む化粧品容器において、
前記結合部は、前記容器本体の上部内周面に結合して、前記支持体を前記容器本体に固定させ、前記支持体には、前記結合部の上端に停止した状態で、前記容器本体の上端開口部を介して外部に露出し、製品区別ができる色相を表示する識別部を結合することを特徴とする。
【０００７】
また、前記識別部の上端を加圧するとともに前記支持体に結合する固定管であって、前記識別部の上方向移動を防止し、前記支持体から前記識別部が脱離することを防止する固定管をさらに含むことを特徴とする。
【０００８】
また、前記支持体の上面から前記シリンダーを取り囲んで上方向に突出し形成され、前記識別部と前記固定管との結合をガイドするガイド管を具備することを特徴とする。
【０００９】
一方、本発明の第２実施例に係る識別手段を具備した化粧品容器は、内容物を貯蔵し、上部に内容物を排出する排出部を具備する容器本体と、前記容器本体の上部に位置してポンピング作用によって前記容器本体に貯蔵された内容物を排出するポンピング部材と、前記ポンピング部材を前記容器本体の上部に固定させる固定キャップと、前記ポンピング部材の上部に位置して前記ポンピング部材を加圧すると前記容器本体に貯蔵された内容物が吐出されるように内容物吐出ホールを形成するボタン部材と、を含む化粧品容器において、
前記容器本体の上端部を包んで位置し、上面から下方向に陥没される停止溝が形成される停止部と、前記固定キャップを包むように、前記停止部から上方向に突出し形成され、中央部に前記ボタン部材が昇降するように、貫通ホールを形成する延長部で構成される支持体と、前記停止部の停止溝に停止された状態で外部に露出し、製品区別ができる色相を表示する識別部と、をさらに含むことを特徴とする。
【００１０】
また、前記停止溝には、前記識別部が上方向に離脱することを防止するように、一定間隔に離間された多数の離脱防止ホールが形成され、前記識別部の下端には、前記離脱防止ホールに結合する多数の離脱防止突起を具備することを特徴とする。
【００１１】
一方、本発明の第３実施例に係る識別手段を具備した化粧品容器は、容器本体と、前記容器本体の内側に結合し、内容物を貯蔵する内容器と、前記内容器の上端開口部を開閉するオーバーキャップと、を含む化粧品容器において、
前記容器本体の内側には、床面から上方向に突出し形成され、前記内容器を固定させる固定部を具備し、前記内容器の下部には、前記容器本体の固定部にネジ結合する結合部を具備し、前記内容器の上部には、外周面を取り囲んで延長し形成されて、前記容器本体の上端に停止した状態で、前記容器本体の上端開口部を介して外部に露出し、製品区別ができる色相を表示する識別部を具備することを特徴とする。
【発明の効果】
【００１２】
以上のように、本発明によれば、容器本体の上部に製品を区別することができる識別手段を具備することにより、ユーザーが識別手段を介して直観的に製品区別ができるので、化粧品を保管する時に製品別に分類して保管が容易になるだけでなく、使用上の利便性を提供することができる長所がある。
【図面の簡単な説明】
【００１３】
【図１】本発明の第１実施例に係る識別手段を具備した化粧品容器の構成を示す分解斜視図である。
【図２】本発明の第１実施例に係る識別手段を具備した化粧品容器の構成を示す組立斜視図である。
【図３】本発明の第１実施例に係る識別手段を具備した化粧品容器の構成を示す組立断面図である。
【図４】本発明の第２実施例に係る識別手段を具備した化粧品容器の構成を示す分解斜視図である。
【図５】本発明の第２実施例に係る識別手段を具備した化粧品容器の構成を示す組立斜視図である。
【図６】本発明の第２実施例に係る識別手段を具備した化粧品容器の構成を示す組立断面図である。
【図７】本発明の第３実施例に係る識別手段を具備した化粧品容器の構成を示す分解斜視図である。
【図８】本発明の第３実施例に係る識別手段を具備した化粧品容器の構成を示す組立斜視図である。
【図９】本発明の第３実施例に係る識別手段を具備した化粧品容器の構成を示す組立断面図である。
【発明を実施するための形態】
【００１４】
以下、図面を参照して本発明を詳細に説明する。各図面に提示された同一の参照符号は、同一の部材を示す。
【００１５】
図１は、本発明の第１実施例に係る識別手段を具備した化粧品容器の構成を示す分解斜視図であり、図２は、本発明の第１実施例に係る識別手段を具備した化粧品容器の構成を示す組立斜視図であり、図３は、本発明の第１実施例に係る識別手段を具備した化粧品容器の構成を示す組立断面図である。
【００１６】
図１〜３を参照すると、本発明の第１実施例に係る識別手段を具備した化粧品容器は、容器本体１００、支持体２００、ポンピング部材３００、ボタン部材４００、識別部５００、固定管６００を含む。
【００１７】
容器本体１００は、内容物を貯蔵するものであり、その内側下部には、内容物の使用によって上昇するピストンＰを具備する。
【００１８】
本発明において、容器本体１００の内周面には、後述する支持体２００の結合部２１０外周面に形成される結合突起２１１と結合する固定突起１１０を具備することが特徴であり、固定突起１１０と結合突起２１１の結合を介して、支持体２００が容器本体１００の内側に固定し設置することができる。
【００１９】
支持体２００は、容器本体１００の上部に結合して、ポンピング部材３００を支持するものであり、結合部２１０、シリンダー２２０、ガイド管２３０を含む。
【００２０】
結合部２１０は、容器本体１００の上部内周面に結合し、支持体２００を容器本体１００に固定させるものとして、その外周面に容器本体１００の固定突起１１０と結合する結合突起２１１を具備する。
【００２１】
シリンダー２２０は、支持体２００の中央部から上部に延長し形成されて、ポンピング部材３００を支持し、ポンピング部材３００のピストンが昇降する空間を形成するものであり、シリンダー２２０の下端には、ポンピング部材３００の作動の時に、容器本体１００に貯蔵した内容物が流入するように内容物流入ホール２２１が形成され、内側には、ポンピング部材３００の作動可否によって、内容物流入ホール２２１を開閉するチェックバルブ２２２が設置される。
【００２２】
ガイド管２３０は、支持体２００の上面からシリンダー２２０を取り囲んで上方向に突出し形成され、後述する識別部５００及び固定管６００の結合をガイドするものであり、その外周面には、識別部５００と固定管６００を固定させることができるように固定手段を具備することが好ましい。
【００２３】
ポンピング部材３００は、支持体２００のシリンダー２２０に結合され、ポンピング作用によって内容物を排出するものであり、一側は後述するボタン部材４００の内側に結合し、他側は、シリンダ２２０の内側に位置して、ボタン部材４００の上下移動によって一緒に動くステムと、ステムの下部に結合するピストンロッドと、ピストンロッドの下部でピストンロッドの外周面を包んで結合して、シリンダ２２０の内壁に沿って移動するシールキャップと、ステムの周囲を包んで結合して、ボタン部５００の反復的なポンピングができるように上方向に弾性力を提供するスプリングで構成される。
【００２４】
ポンピング部材３００を成す各構成は、本発明が属する技術分野で公知技術なので、詳細な説明は省略する。
【００２５】
ボタン部材４００は、ポンピング部材３００の上部に結合され、ユーザーの操作によって、ポンピング部材３００を加圧してポンピング作動をできるようにするものであり、一側には、内容物を吐出することができるように内容物吐出ホール４１０が形成される。
【００２６】
識別部５００は、支持体２００に結合され、支持体２００の結合部２１０の上端に停止した状態で、容器本体１００の上端開口部を介して、外部に露出するように構成されるものであり、ガイド管２３０の外周面を包んで結合するように、中空５１１が形成される結合管５１０と、結合管５１０の上端外周面を取り囲んで延長されて、結合部２１０の上端に停止する停止板５２０で構成される。
【００２７】
本発明において、識別部５００は、製品区別ができる色相を表示することが特徴であり、識別部５００に表示される多様な色相を介して、ユーザーが直観的に製品区別ができるので、化粧品を保管する時に、製品別に分類して保管が容易になるだけでなく、使用上の利便性を提供することができる。
【００２８】
固定管６００は、識別部５００の上端を加圧するように、ガイド管２３０の外周面を包んで結合するものとして、支持体２００に固定した状態で、識別部５００の上端を加圧して識別部５００の上方向移動を防止することにより、支持体２００から識別部５００が脱離することを防止する。
【００２９】
一方、固定管６００の外側には、ボタン部材４００を包むオーバーキャップ７００が脱離できるように結合する。
【００３０】
以下では、図４〜６を参照して、本発明の第２実施例に係る識別手段を具備した化粧品容器を説明する。
【００３１】
図４〜６を参照すると、本発明の第２実施例に係る識別手段を具備した化粧品容器は、容器本体１００’、ポンピング部材２００’、固定キャップ３００’、ボタン部材４００’、支持体５００’、識別部６００’を含む。
【００３２】
容器本体１００’は、内容物を貯蔵するものであり、その上部には貯蔵した内容物を排出することができるように排出部１１０’を具備する。
【００３３】
ポンピング部材２００’は、容器本体１００’の上部に位置して、ポンピング作用によって内容物を排出するものであり、下部には、容器本体１００’に貯蔵した内容物を吸引する内容物吸入管２１０’が結合される。
【００３４】
ポンピング部材２００’を成す各構成は、本発明の第１実施例で、くだんのところと同一なので、詳細な説明は省略する。
【００３５】
固定キャップ３００’は、ポンピング部材２００’を容器本体１００’の上部に固定させるものであり、排出部１１０’とネジ結合して固定キャップ３００’を容器本体１００’に固定させる結合部３１０と結合部３１０の上部で固定キャップ３００’の内側に延長し形成され、ポンピング部材２００’を加圧する支持部３２０で構成される。
【００３６】
固定キャップ３００’には、ポンピング部材２００’が貫通することができるように中空が形成されることが好ましい。
【００３７】
ボタン部材４００’は、ポンピング部材２００’の上部に結合し、ユーザーの操作によって、ポンピング部材２００’を加圧してポンピング作動をできるようにするものであり、一側には、内容物を吐出することができるように内容物吐出ホール４１０’が形成される。
【００３８】
支持体５００’は、容器本体１００’の上端部及び固定キャップ３００’を包んで固定キャップ３００’に結合するものであり、停止部５１０’、延長部５２０’を含む。
【００３９】
停止部５１０’は、容器本体１００’の上端部を包んで位置するものであり、後述する識別部６００’が停止されて結合することができるように、上面から下方向に陥没される停止溝５１１が形成され、停止溝５１１には、識別部６００’が停止した状態で離脱防止突起６１０と結合して、識別部６００’の仮想方向に離脱することを防止するように、一定間隔に離間された多数の離脱防止ホール５１２が形成される。
【００４０】
延長部５２０’は、固定キャップ３００’を包むように、停止部５１０’から上方向に突出し形成されるものであり、中央部には、ボタン部材４００’が昇降されるように貫通ホール５２１が形成される。
【００４１】
一方、支持体５００’の外側には、ボタン部材４００’を包むオーバーキャップ７００’が脱離可能に結合する。
【００４２】
識別部６００’は、支持体５００’に結合し、停止部５１０’の停止溝５１１の上端に停止した状態で外部に露出するように構成されるものであり、延長部５２０’を包んで結合するドーナツ形状で形成され、下端には、離脱防止ホール５１２に結合する多数の離脱防止突起６１０を具備する。
【００４３】
本発明において、識別部６００’は、本発明の第１実施例と同一に、製品区別ができる色相を表示することが特徴であり、識別部６００’に表示される多様な色相を介して、ユーザーが直観的に製品区別ができるので、化粧品を保管する時に、製品別に分類して保管が容易になるだけでなく、使用上の利便性を提供することができる。
【００４４】
以下では、図７〜９を参照して、本発明の第３実施例に係る識別手段を具備した化粧品容器を説明する。
【００４５】
図７〜９を参照すると、本発明の第３実施例に係る識別手段を具備した化粧品容器は、容器本体１００”、内容器２００”、オーバーキャップ３００”を含む。
【００４６】
容器本体１００”は、内容器２００”を収容するものであり、内容器２００”を収容することができるように、上端部は開栓し形成され、内側には床面から上方向に突出し形成されて内容器２００”を固定させる固定部１１０”を具備する。
【００４７】
内容器２００”は、容器本体１００”の内側に結合し、内容物を貯蔵するものであり、下部には、容器本体１００”の固定部１１０”にネジ結合して、内容器２００”を容器本体１００”に固定させる結合部２１０”を具備する。
【００４８】
本発明において、内容器２００”の上部には、外周面を取り囲んで延長し形成され、容器本体１００”の上端に停止した状態で、容器本体１００”の上端開口部を介して、外部に露出する識別部２２０”を具備することが特徴であり、識別部２２０’は本発明の第１実施例及び第２実施例と同一に、製品区別ができる色相を表示することにより、識別部６００’に表示する多様な色相を介して、ユーザーが直観的に製品区別をできるようにする。これにより、化粧品を保管する時に製品別に分類して保管が容易になるだけでなく、使用上の利便性を提供することができる。
【００４９】
オーバーキャップ３００”は、内容器２００”の上端開口部を開閉し、脱着可能に結合するものであり、内容器２００”に異物または空気が流入することを防止して内容物の変質を防止する。
【００５０】
図面と明細書で最適の実施例を開示した。ここで特定の用語を用いたが、これは単に本発明を説明するための目的で用いたものであり、意味の限定や特許請求の範囲に記載された本発明の範囲を制限するために用いたものではない。従って、当該技術分野の通常の知識を有する者であれば、多様な変形および均等な他の実施例が可能であることを理解すべきである。また、本発明の真の技術的保護範囲は、添付された特許請求の範囲の技術的思想によって定められる。
【符号の説明】
【００５１】
１００    容器本体
２００    支持体
２１０    結合部
２２０    シリンダー
３００    ポンピング部材
５００    識別部
【図１】
2020147374.tif 000003
【図２】
2020147374.tif 000004
【図３】
2020147374.tif 000005
【図４】
2020147374.tif 000006
【図５】
2020147374.tif 000007
【図６】
2020147374.tif 000008
【図７】
2020147374.tif 000009
【図８】
2020147374.tif 000010
【図９】
2020147374.tif 000011